(57)【要約】【課題】斜め上方からの視認性が良く、優れた構造強度が確保できると共に、形態的な保護効果を向上できる操作・表示部付き装置及びエアードライヤーを提供すること。【解決手段】ケーシング１０の前面１２、天面１３及び一方の側面１４によって構成される角部を切り欠いた形状の切欠部１５が設けられたケーシング本体１１と、切欠部１５を塞ぐコーナー部材２０とを具備し、コーナー部材２０が、前面１２に傾斜して形成されて少なくとも操作部又は表示部が設けられる斜面部２１と、斜面部２１の一方の側辺２１ａに沿って設けられた側枠部２２と、ケーシング１０の巾方向の中途部で切欠部１５を塞ぐように斜面部２１の他方の側辺２１ｂを底辺にして三角形状に設けられた三角側面部２３と、斜面部２１及び三角側面部２３の上辺に沿ってＬ字状に設けられた天枠部２４と、斜面部２１及び三角側面部２３の前辺に沿ってＬ字状に設けられた前枠部２５とを備える。【選択図】図１
2011096869.tif 000002
【特許請求の範囲】
【請求項１】
装置の外壁となる箱形のケーシングを備え、該ケーシングの外面に少なくとも操作部又は表示部を有する操作・表示部付き装置であって、
前記ケーシングの前面、天面及び一方の側面によって構成される角部を切り欠いた形状の切欠部が設けられたケーシング本体と、該ケーシング本体に固定されて前記切欠部を塞ぐコーナー部材とを具備し、
前記コーナー部材が、前記前面に傾斜して形成されて少なくとも操作部又は表示部が設けられる斜面部と、該斜面部の一方の側辺に沿って設けられて前記一方の側面の前記切欠部の縁部に当接される側枠部と、前記ケーシングの巾方向の中途部で前記切欠部を塞ぐように前記斜面部の他方の側辺を底辺にして三角形状に設けられた三角側面部と、前記斜面部及び前記三角側面部の上辺に沿ってＬ字状に設けられて前記天面の前記切欠部の縁部に当接される天枠部と、前記斜面部及び前記三角側面部の前辺に沿ってＬ字状に設けられて前記前面の前記切欠部の縁部に当接される前枠部とを備えることを特徴とする操作・表示部付き装置。
【請求項２】
前記ケーシング本体の前面であって前記切欠部の縁部に設けられた係合孔と、前記コーナー部材の前記前枠部の裏面に突起して設けられて前記係合孔に挿入されることで係合される係合突起とが、複数組設けられることで、前記前面の前記切欠部の縁部に前記前枠部が止め付けられると共に、前記一方の側面の前記切欠部の縁部に前記側枠部が止め付けられていることで、前記コーナー部材が前記ケーシング本体に固定されていることを特徴とする請求項１記載の操作・表示部付き装置。
【請求項３】
前記係合孔と前記係合突起との組が、前記前枠部の上部と下部に相当する位置の二箇所に設けられ、前記一方の側面の前記切欠部の縁部に前記側枠部が一つのネジによって止め付けられていることを特徴とする請求項２記載の操作・表示部付き装置。
【請求項４】
前記斜面部の下部であって、前記三角側面部の近傍の角部に非常用のスイッチが配され、該非常用のスイッチの周囲部分が盛り上がった形態に設けられていることを特徴とする請求項１〜３のいずれかに記載の操作・表示部付き装置。
【請求項５】
請求項１〜４のいずれかに記載の操作・表示部付き装置の構成を具備することを特徴とするエアードライヤー。
【発明の詳細な説明】
【技術分野】
【０００１】
本発明は、装置の外壁となる箱形のケーシングを備え、該ケーシングの外面に少なくとも操作部又は表示部を有する操作・表示部付き装置及びエアードライヤーに関する。
【背景技術】
【０００２】
操作・表示部付き装置には、業務用の機械装置或いは家庭用の電気製品等、種々の装置がある。例えば、コンプレッサーによって圧縮された圧縮気体の水分を除去する圧縮気体除湿装置（エアードライヤー）にも、ケーシングの外面に操作部及び表示部が備えられている。なお、冷凍サイクルを用いたエアードライヤーでは、圧縮気体を熱交換器によって冷媒と熱交換することで冷却し、結露水を発生させることによって除湿する。
【０００３】
従来の圧縮気体除湿装置では、スイッチや圧力計等が配された操作・表示部が、六面体の箱型ケーシング（直方体の箱）の一壁面上に設けられている。
この場合、操作・表示部の配設スペースを確保するために、小型化することが難しいなど、装置全体の設計に制約が生じ易い。また、操作・表示部が外壁の一壁面上に設けられるため、装置の設置方向についても制約が生じ易かった。
【０００４】
これに対し、装置の外壁となる箱形のケーシングを備え、そのケーシングの外面に少なくとも操作部又は表示部を有する操作・表示部付き装置であって、ケーシングの三壁面によって形作られるべき角部を切り欠いた形状の面であるコーナー面を備え、そのコーナー面に少なくとも操作部又は表示部が配されている操作・表示部付き装置が、本出願人によって提案されている（特許文献１参照）。
これによれば、装置全体の設計にかかる制約や装置の設置方向のかかる制約が生じにくい形態となり、汎用性の高い構造になっている。しかし、この操作・表示部付き装置では、斜め上方からの視認性や、操作・表示面に対する形態的な保護効果などについて、装置の設置形態によっては、より好適に対応できるものではなかった。
【先行技術文献】
【特許文献】
【０００５】
【特許文献１】ＷＯ２００７／０１０９６３号公報（第１頁、第１図）
【発明の概要】
【発明が解決しようとする課題】
【０００６】
操作・表示部付き装置及びエアードライヤーに関して解決しようとする問題点は、操作・表示部の斜め上方からの視認性が良く、操作・表示部を含む構造の強度が十分であると共に、操作・表示面に対する形態的な保護効果を向上できるものが提案されていないことにある。
そこで本発明の目的は、操作・表示部について、斜め上方からの視認性が良く、優れた構造強度が確保できると共に、形態的な保護効果を向上できる操作・表示部付き装置及びエアードライヤーを提供することにある。
【課題を解決するための手段】
【０００７】
本発明は、上記目的を達成するために次の構成を備える。
本発明にかかる操作・表示部付き装置の一形態によれば、装置の外壁となる箱形のケーシングを備え、該ケーシングの外面に少なくとも操作部又は表示部を有する操作・表示部付き装置であって、前記ケーシングの前面、天面及び一方の側面によって構成される角部を切り欠いた形状の切欠部が設けられたケーシング本体と、該ケーシング本体に固定されて前記切欠部を塞ぐコーナー部材とを具備し、前記コーナー部材が、前記前面に傾斜して形成されて少なくとも操作部又は表示部が設けられる斜面部と、該斜面部の一方の側辺に沿って設けられて前記一方の側面の前記切欠部の縁部に当接される側枠部と、前記ケーシングの巾方向の中途部で前記切欠部を塞ぐように前記斜面部の他方の側辺を底辺にして三角形状に設けられた三角側面部と、前記斜面部及び前記三角側面部の上辺に沿ってＬ字状に設けられて前記天面の前記切欠部の縁部に当接される天枠部と、前記斜面部及び前記三角側面部の前辺に沿ってＬ字状に設けられて前記前面の前記切欠部の縁部に当接される前枠部とを備える。
【０００８】
また、本発明にかかる操作・表示部付き装置の一形態によれば、前記ケーシング本体の前面であって前記切欠部の縁部に設けられた係合孔と、前記コーナー部材の前記前枠部の裏面に突起して設けられて前記係合孔に挿入されることで係合される係合突起とが、複数組設けられることで、前記前面の前記切欠部の縁部に前記前枠部が止め付けられると共に、前記一方の側面の前記切欠部の縁部に前記側枠部が止め付けられていることで、前記コーナー部材が前記ケーシング本体に固定されていることを特徴とすることができる。
また、本発明にかかる操作・表示部付き装置の一形態によれば、前記係合孔と前記係合突起との組が、前記前枠部の上部と下部に相当する位置の二箇所に設けられ、前記一方の側面の前記切欠部の縁部に前記側枠部が一つのネジによって止め付けられていることを特徴とすることができる。
【０００９】
また、本発明にかかる操作・表示部付き装置の一形態によれば、前記斜面部の下部であって、前記三角側面部の近傍の角部に非常用のスイッチが配され、該非常用のスイッチの周囲部分が盛り上がった形態に設けられていることを特徴とすることができる。
【００１０】
また、本発明にかかるエアードライヤーの一形態によれば、前記の操作・表示部付き装置の構成を具備することを特徴とする。
【発明の効果】
【００１１】
本発明にかかる操作・表示部付き装置及びエアードライヤーによれば、操作・表示部について、斜め上方からの視認性が良く、優れた構造強度が確保できると共に、形態的な保護効果を向上できるという特別有利な効果を奏する。
【図面の簡単な説明】
【００１２】
【図１】本発明に係る操作・表示部付き装置の形態例を示す斜視図である。
【図２】図１の形態例のコーナー部材を含む部分的な斜視組立て図である。
【図３】図１の形態例に装着されるコーナー部材の裏面形状を示す斜視図である。
【発明を実施するための形態】
【００１３】
以下、本発明に係る操作・表示部付き装置及びエアードライヤーの形態例を添付図面（図１〜図３）に基づいて詳細に説明する。
なお、本形態例は、装置の外壁となる箱形のケーシング１０を備え、そのケーシング１０の外面に少なくとも操作部又は表示部を有する操作・表示部付き装置の構成を具備するエアードライヤーである。このエアードライヤーは、コンプレッサーによって圧縮された圧縮空気を、冷凍サイクルによって冷却された冷媒と熱交換して冷却することで、その圧縮空気中の水分を結露させて除湿するものであり、冷凍用圧縮機、凝縮器、凝縮ファン、膨張器及び熱交換器等が内蔵されている。
【００１４】
１１はケーシング本体であり、このケーシング本体１１には、ケーシング１０の前面１２、天面１３及び一方の側面１４によって構成される角部を切り欠いた形状の切欠部１５（図２参照）が設けられている。本形態例のケーシング本体１１は、図２に示すように、各面の部材を組み立てることで構成され、各面の前記角部を構成する部分が切り欠かれている。
本形態例において、ケーシング１０の前面１２の裏面側折り返し部には、下方に向けたフック１２ｂ、１２ｃ、１２ｄが設けられており、それぞれ対応するケーシング１０の天面１３の嵌合溝１３ｂ、及びケーシング１０の一方の側面１４の嵌合溝１４ｂ、１４ｃに上方から係合するようになっている。また、天面１３の折り返し部下縁と一方の側面１４の上縁部も同様に、図示省略の複数のフックと嵌合溝が係合するようになっている。
ケーシング本体１１を組み立てる際は、まず天面１３と一方の側面１４の複数のフックと嵌合溝を係合して、図２に示すように天面１３と一方の側面１４が一体化した状態とし、その後前面１２のフック１２ｂ、１２ｃ、１２ｄを天面１３の嵌合溝１３ｂ、及びケーシング１０の一方の側面１４の嵌合溝１４ｂ、１４ｃに上方から係合する。これで、前面１２、天面１３、一方の側面１４が一体化したケーシング本体１１が組み立てられた状態となる。
【００１５】
２０はコーナー部材であり、ケーシング本体１１に固定されて切欠部１５を塞ぐように設けられている。そして、このコーナー部材２０は、以下に説明する形態的構成を備えるもので、樹脂成型によって一体的に形成されたプラスチック部材になっている。
ケーシング本体１１にコーナー部材２０を装着することで、コーナー部材２０のオーバーラップによって前面１２、天面１３、一方の側面１４の各係合部は拘束されるため、前面１２、天面１３、一方の側面１４より強固に係合し合う。
また、ケーシング１０の組立てを、コーナー部材２０をネジ３２でケーシング本体１１に固定することのみで完結させることができるため、脱着が容易で組立て性が大幅に向上すると共に、部品点数も大幅に削減できる。
【００１６】
２１は斜面部であり、コーナー部材２０が、前面１２に傾斜して形成されて少なくとも操作部又は表示部が設けられている。本形態例では、この斜面部２１に、運転スイッチ５０、停止スイッチ５１、非常用のスイッチ５２、及び円形のアナログ式の圧力ゲージ５５、運転状態を示す表示ランプ５６が装着されて操作部と表示部が構成されている。
このように斜面部２１に操作・表示部が設けられるため、操作・表示部の斜め上方からの視認性が良くなると共に、ケーシング１０の無駄なスペースとなり易い角部を有効に利用できる。そして、操作・表示部の配設スペースを好適に確保できるため、装置全体の設計の自由度を高めることができ、例えば装置全体のコンパクト化が可能になる。
【００１７】
２２は側枠部であり、斜面部２１の一方の側辺２１ａに沿って設けられて一方の側面１４の切欠部の縁部１４ａに当接される部分になっている。本形態例の側枠部２２は、切欠部１５を適切に塞ぐべく、一方の側面１４の切欠部の縁部１４ａにオーバーラップするように、所要の幅に板状に形成されている。
この側枠部２２と、後述する天枠部２４及び前枠部２５とが連続した一体形状に設けられており、コーナー部材２０の全体で、切欠部１５を、その縁部１４ａ、１３ａ、１２ａにオーバーラップして被せて塞ぐように設けられている。
【００１８】
２３は三角側面部であり、ケーシング１０の巾方向の中途部で切欠部１５を塞ぐように斜面部２１の他方の側辺２１ｂを底辺にして三角形状に設けられている。本形態例の三角側面部２３の三角形は、上辺２３ａが天面１３に倣うように位置し、前辺２３ｂが前面に倣うように位置しており、直角三角形の形状になっている。
このように、三角側面部２３が形成されていることで、コーナー部材２０が、高い剛性と強度を確保できる形態となっている。
【００１９】
２４は天枠部であり、斜面部２１及び三角側面部２３の上辺２１ｃ、２３ａに沿ってＬ字状（鉤状）に設けられて天面１３の切欠部の縁部１３ａに当接される部分になっている。本形態例の天枠部２４は、天面１３に載って切欠部１５を適切に塞ぐべく、天面１３の切欠部の縁部１３ａにオーバーラップするように、所要の幅に板状に形成されている。これによれば、この天枠部２４を介して、コーナー部材２０の全体がケーシング本体１１によって好適に支持される状態になり、強度の向上が図られると共に、後述するネジ３２にかかる負担を軽減することができる。また、後述するネジ３２が外れても、コーナー部材２０が落下しにくい構成になっている。
【００２０】
２５は前枠部であり、斜面部２１及び三角側面部２３の前辺２１ｄ、２３ｂに沿ってＬ字状（鉤状）に設けられて前面の切欠部の縁部１２ａに当接される部分になっている。本形態例の前枠部２５は、切欠部１５を適切に塞ぐべく、前面１２の切欠部の縁部１２ａにオーバーラップするように、所要の幅に板状に形成されている。
そして、この前枠部２５と、天枠部２４とが、三角側面部２３に沿って鉤状に連続している構造となっていることで、高い剛性を有する共に、角部の強度を適切に確保できる形態になっている。
【００２１】
また、この前枠部２５及び天枠部２４と三角側面部２３によって構成される鉤状の折り曲げ形状によって、緩衝部が設けられた形態になっている。この緩衝部によれば、操作・表示部が相対的に窪んだ位置に配された状態となり、操作・表示部が緩衝部によって保護される形態になっている。つまり、土手状の緩衝部があるため、操作・表示部へ物や人間が不用意に接触することを防止でき、操作部の損傷などを回避できる形態となっている。
【００２２】
また、図２に示すように、ケーシング本体１１の前面１２であって切欠部の縁部１２ａに設けられた係合孔３０と、コーナー部材２０の前枠部２５の裏面に突起して設けられて係合孔３０に挿入されることで係合される係合突起３１（図３参照）とが、複数組設けられている。さらに本形態例では、係合孔３０と係合突起３１との組が、前枠部２５の上部と、前枠部２５の側枠部２２近傍の下部に相当する位置の二箇所に設けられている。これにより、前面１２の切欠部の縁部１２ａに前枠部２５が、嵌めこみ作業によって簡単且つ好適に止め付けられている。
【００２３】
各係合突起３１は、各係合孔３０への挿入途中では弾性変形すると共に、その各係合孔３０へ完全に挿入された際には復帰して抜け止めとなるように弾性材で形成された抜け止め片３１ａを備える。
なお、係合構造はこれに限らず、他の既知の係合手段或いは固着手段を適宜選択的に採用してもよいのは勿論である。例えば、ケーシング本体１１の前面１２側に抜け止め防止手段を設けてもよいし、別体の抜け止め部材を用いて係合部と被係合部との間を係合させてもよい。
【００２４】
そして、一方の側面１４の切欠部の縁部１４ａに側枠部２２が止め付けられていることで、コーナー部材２０がケーシング本体１１に固定されている。本形態例では、一方の側面１４の切欠部の縁部１４ａに側枠部２２が、それぞれの上部において、一つのネジ３２によって止め付けられている。
【００２５】
本形態例によれば、係合孔３０と係合突起３１の組が二つと、一つのネジ３２との三つの止め付け箇所によって、コーナー部材２０を確実且つ容易にケーシング本体１１へ装着でき、操作・表示部を好適に設けることができる。止め付け位置が三点であって、相互にバランスが良く離れた位置となっており、コーナー部材２０をケーシング本体１１に強固に固定することができる。
【００２６】
また、図１や図２に示すように、斜面部２１の下部であって、三角側面部２３の近傍の角部に非常用のスイッチ５２が配され、その非常用のスイッチ５２の周囲部分２６が盛り上がった形態に設けられている。本形態例では、その周囲部分２６が三角形状に形成されている。なお、本形態例の非常用のスイッチ５２は、エアードライヤー用の圧力スイッチであって、冷凍回路の圧力が規定値を超えた場合に作動して冷凍回路を停止・保護する押圧式のスイッチである。非常用のスイッチ５２が作動していない状態（正常な状態）では、非常用のスイッチ５２のボタン部分は周囲部分２６の三角形状に形成された面と同一か、奥まった位置にある。また、非常用のスイッチ５２が作動した状態（異常な状態）では、非常用のスイッチ５２のボタンの部分は周囲部分２６の三角形状に形成された面よりも突出する。
このように非常用のスイッチ５２が、補強構造の好適な位置に設けられていることで、強く押される操作に対しても耐え得る形態になっている。また、非常用のスイッチ５２が、周囲に対して窪んだ位置に設けられていることで、作動時に非常用のスイッチ５２のボタン部分が突出する空間が確保される。また、非常用のスイッチ５２が作動した状態での不用意な接触による誤操作や破損が生じることを防止できる。さらに、非常用のスイッチ５２の周囲部分２６が三角形状に盛り上がって形成されることにより、非常用のスイッチ５２の作動状態が斜め上面から見て明確に判断できる。このため、従来は操作・表示部とは異なる位置（例えば側壁の下部）に設けられていた非常用のスイッチ５２を、操作・表示部のパネル上（斜面部２１）に好適に配することができる。
【００２７】
また、本発明に係るコーナー部材２０は、異なるサイズのケーシング１０における角部のいずれにも装着できる設計となっている。つまり、コーナー部材２０によれば、装置の巾、奥行き、高さの違いに関係なく、操作・表示部の形態を統一できるように構成されている。縦長に成り易く床面上に設置されることの多いエアードライヤーにとっても、全てのサイズに好適に装着できる最適な形態になっている。
【００２８】
また、本形態例は、図１に示すようにエアードライヤーであって、乾燥されるべき空気の空気入口１６と、空気出口１７が設けられ、粗塵フィルタ４０が装着されている。また、図３に示すように、３２ａはネジ３２（図２参照）取付け用の貫通孔、５０ａ、５１ａはスイッチ装着用の透孔、５５ａはゲージ装着用の透孔である。
【００２９】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００３０】
１０  ケーシング
１１  ケーシング本体
１２  前面
１３  天面
１４  一方の側面
１５  切欠部
２０  コーナー部材
２１  斜面部
２１ａ  一方の側辺
２１ｂ  他方の側辺
２１ｃ  上辺
２１ｄ  前辺
２２  側枠部
２３  三角側面部
２３ａ  上辺
２３ｂ  前辺
２４  天枠部
２５  前枠部
３０  係合孔
３１  係合突起
３２  ネジ
【図１】
2011096869.tif 000003
【図２】
2011096869.tif 000004
【図３】
2011096869.tif 000005